(57)【特許請求の範囲】
【請求項１】
小児の身長に応じて救命救急処置に適した器具又は／及び薬剤の推定情報を示すための情報付メジャーであって、
小児の身長を測定するための目盛を有する目盛欄と、
前記目盛欄に隣接した前記器具又は／及び薬剤の推定情報を記載した推定欄と、
を有し、
前記目盛が少なくとも３０センチメートル以下の部分では、前記推定欄に代えて、救命救急処置に必要な参考情報が記載された参考欄を有し、
前記推定欄は、前記目盛で示される一定身長範囲ごとに推定情報が記載され、
前記推定欄は、
身長に応じて適した器具又は／及び薬剤を推定する身長依存推定情報を示す身長依存推定欄と、
体重に応じて適した器具又は／及び薬剤を推定する体重依存推定情報を示す体重依存推定欄と、
を含む情報付メジャーであって、
前記推定欄には、前記目盛で示される一定身長範囲ごとに前記体重依存推定欄で利用する体重を推定するための体重推定情報が男児に対するものと女児に対するものとを分けて記載されていることを特徴とする情報付メジャー。
【請求項２】
小児の身長に応じて救命救急処置に適した器具又は／及び薬剤の推定情報を示すための情報付メジャーであって、
小児の身長を測定するための目盛を有する目盛欄と、
前記目盛欄に隣接した前記器具又は／及び薬剤の推定情報を記載した推定欄と、
を有し、
前記目盛が少なくとも３０センチメートル以下の部分では、前記推定欄に代えて、救命救急処置に必要な参考情報が記載された参考欄を有し、
前記推定欄は、前記目盛で示される一定身長範囲ごとに推定情報が記載され、
前記推定欄は、
身長に応じて適した器具又は／及び薬剤を推定する身長依存推定情報を示す身長依存推定欄と、
体重に応じて適した器具又は／及び薬剤を推定する体重依存推定情報を示す体重依存推定欄と、
を含む情報付メジャーであって、
前記目盛が所定の身長以上の範囲の部分では、前記推定欄に代えて、成人に使用する器具のサイズ又は／及び投与するべき薬剤の量が記載されていることを特徴とする情報付きメジャー。
【請求項３】
小児の身長に応じて救命救急処置に適した器具又は／及び薬剤の推定情報を示すための情報付メジャーであって、
小児の身長を測定するための目盛を有する目盛欄と、
前記目盛欄に隣接した前記器具又は／及び薬剤の推定情報を記載した推定欄と、
を有し、
前記目盛が少なくとも３０センチメートル以下の部分では、前記推定欄に代えて、救命救急処置に必要な参考情報が記載された参考欄を有し、
前記推定欄は、前記目盛で示される一定身長範囲ごとに推定情報が記載され、
前記推定欄は、
身長に応じて適した器具又は／及び薬剤を推定する身長依存推定情報を示す身長依存推定欄と、
体重に応じて適した器具又は／及び薬剤を推定する体重依存推定情報を示す体重依存推定欄と、
を含む情報付メジャーであって、
前記目盛が所定の身長以上の範囲の部分では、前記推定欄に代えて、成人の二次救命処置の手順のフローチャートが記載されていることを特徴とする情報付きメジャー。
【請求項４】
前記体重推定情報は、前記一定身長範囲における標準体重の値と、前記一定身長範囲における体重分布における所定の下限と上限の体重の値を示す請求項１に記載の情報付メジャー。
【請求項５】
前記一定身長範囲ごとに推定情報が記載されている推定欄は、少なくとも隣接している身長範囲の推定欄が異なる色彩で記載されている請求項１から４のいずれか一に記載の情報付メジャー。
【請求項６】
前記推定欄と反対側の面に、成人用の救命救急情報を記載した成人救命救急情報欄を有する請求項１から５のいずれか一に記載の情報付メジャー。
【請求項７】
前記参考欄には、身長から体重を推定するための参考文献を示す参考文献情報欄を有する請求項１から６のいずれか一に記載の情報付メジャー。
【発明の詳細な説明】
【技術分野】
【０００１】
本発明は、救急患者の身長の測定に基づいて、その救急患者に行なう救命救急処置に必要な器具のサイズ、薬剤の量などを推定するためのメジャーに関する。特に、小児救急患者に対する救命救急処置のための情報を提供するメジャーに関する。
【背景技術】
【０００２】
従来、救急患者が病院などの医療施設に搬送された場合、気道を確保するために使用する喉頭鏡のサイズ、挿管するべき気管チューブのサイズ、各種カテーテルのサイズ、などの器具のサイズは、医師が救急患者の体格を観察し、経験に基づいて選択している。同様に、救命救急処置のための薬剤の量も、経験に基づいて選択している。
【０００３】
一方、身長と体重との間にはある程度の相関関係があることが経験上知られており、特に乳児、幼児、学童児などの小児においては、その相関関係はかなり高い（例えば、非特許文献１参照。）。また、身長と器具などのサイズとの相関関係もあることが知られている（例えば、非特許文献２参照。）。
【非特許文献１】Garland JS, Kishaba RG, Nelson DB, Losek JD, Sobocinski KA, "A rapid and accurate method of estimating body weight", Am J Emerg Med., 1986;4:390-393.
【非特許文献２】Hinkle AJ, "A rapid and reliable method of selecting endotracheal tube size in children", Anesth Analg., 1988;67:s-592.Abstract.
【発明の開示】
【発明が解決しようとする課題】
【０００４】
小児は成長過程にあるため、小児の体格は成人のそれに比べて多様である。また、一般の医療施設においては、搬送される成人救急患者に比べると小児救急患者の数は少ない。このため、医師が、小児の救命救急処置に使用するべき器具のサイズ、薬剤の量などを経験に基づいて的確に決定することには困難を伴なうことが多い。このため、緊急性を有する小児の救命救急処置において、医療ミスが発生する可能性が高いという課題がある。特に、８歳未満かつ体重が２５キログラム未満の小児に心室細動や心室頻拍が起きている場合には、自動式体外除細動器を使用することはできず、手動操作により適切な設定を行なわなければならないという課題もある。米国心臓協会のガイドラインでは、体重に応じて除細動のエネルギーを設定しなければならないことが定められているが、患者の外見から体重を正確に求めるのは困難である。
【０００５】
そのため、例えば、小児の年齢と器具のサイズ、薬剤の量などとの対応関係を示す表を処置室に掲示などしておくことも行なわれているが、前述したように、小児の救急患者の数は成人にくらべて少ないため、そのような掲示の存在が忘れられてしまう可能性があるという課題がある。
【０００６】
そこで、本発明では、小児の救命救急処置で使用する器具などのサイズ、薬剤の量などを推定するためのメジャーを提供することを目的とし、また、小児救命救急の時以外にも使用がされ、忘れ去られることがないようにすることを目的とする。
【課題を解決するための手段】
【０００７】
上記の課題を解決するため、本発明においては、身長を測定する目盛欄と、その目盛欄に隣接した欄として、器具または／および薬剤の推定情報を記載した推定欄を有し、目盛が３０センチメートル以下の部分では、推定欄に代えて、救命救急に必要な参考情報を記載した情報付メジャーを提供する。
【０００８】
このような情報付メジャーにより、救急患者の身長を測定することにより、必要な器具のサイズまたは／および薬剤の推定ができるようになる。また、その情報付メジャーには、救命救急に必要な情報（例えば、救命救急処置の手順など）が記載されているので、情報付メジャーは、救命救急の教科書としての役割をも有することになり、たびたび参照されることとなり、その存在が忘れられる可能性が低くなる。
【０００９】
なお、推定欄は、目盛で示される一定身長範囲ごとに推定情報を記載してもよい。また、器具のサイズは身長に直接的に依存すると考えられ、一方、薬剤の量は体重に依存することを介して身長に間接的に依存するので、身長に直接依存する推定情報と、体重に直接依存し、身長に間接的に依存することになる推定情報とを分けてもよい。具体的には、器具のサイズを示す欄と薬剤の量を示す欄とを分けてもよい。
【００１０】
また、身長に対応する体重の推定値が記載されていてもよい。特に、同じ身長であっても、患者がやせている場合、太っている場合での体重の推定値も記載されていてもよい。これにより、薬剤の量をより正確に推定することができる。
【００１１】
また、身長の一定範囲ごとに色分けがされていてもよい。これにより、例えば、器具の色を、身長の一定範囲ごとの色分けで使用される色と同じにすることにより、間違ったサイズの器具を使用する可能性を低くすることができる。
【発明の効果】
【００１２】
本発明に係る情報付メジャーによれば、救急患者の身長を測定することにより、必要な器具のサイズまたは／および薬剤の量などの推定ができるようになり、医療ミスの低下などをもたらすことができる。また、その他の救命救急に必要な情報が記載されているので、情報付メジャーの存在が忘れられることも低減することが可能となる。
【発明を実施するための最良の形態】
【００１３】
以下、本発明を実施するための最良の実施形態について、図を用いて説明する。なお、本発明は、これら実施形態に何ら限定されるものではなく、その要旨を逸脱しない範囲において、種々なる態様で実施し得る。
【００１４】
（本発明の概要）
図１は、本発明に係る情報付メジャーの一例を示す。図１では、情報付メジャーのうちの三つの部分を例示しており、（１）左に示される部分が、０センチメートルから３０センチメートル付近を示しており、（２）中央に示される部分が、９０センチメートル付近を示しており、（３）右に示される部分が、１６０センチメートル付近を示している。
【００１５】
左に示される部分は、救命救急の処置のフローチャートを示している。本発明に係る情報付メジャーは、人の身長を測定し、身長に基づいて救命救急に使用する器具のサイズ、薬剤の量などを推定するものであるので、おおよそ30センチメートル以下の身長の人が救急患者としてはほとんど皆無であるので、おおよそ30センチメートル以下の部分には、救命救急の処置のフローチャートを示すようにした。これにより、本発明に係る情報付メジャーが救命救急の教科書的な役割もするようになる。なお、この部分には、救命救急の処置のフローチャート以外にも、本発明に係る情報付メジャーの使用方法、救命救急に使用する器具のサイズ、薬剤の量の根拠などが記されていてもよい。
【００１６】
中央に示される部分は、９０センチメートル付近を示しており、本発明に係る情報付メジャーにより、例えば救急患者の身長が９０センチメートルであることがわかると、器具サイズとして、ＥＴ  ＩＤ（気管チューブ内径（Ｅｎｄｏｔｒａｃｈｅａｌ  Ｔｕｂｅ  Ｉｎｔｅｒｎａｌ  Ｄｉａｍｅｔｅｒ））として４．５ｍｍを使用すべきことなどがわかり、また、体重が１４キログラムであり、アトロピンを０．２８ｍｇ使用するべきことなどが直ちにわかり、救命救急処置を直ちに開始することができる。また、救急車で搬送されているときに、救急車内で救急患者の身長を測り、その測定結果を搬送先の病院に伝え、この情報付メジャーで対応する身長に隣接する部分を読み取ることにより、適切なサイズの器具、適切な量の薬剤などを準備することが可能である。なお、厳密には、「気管チューブ」の英語表記は、"Ｔｒａｃｈｅａｌ  Ｔｕｂｅ"である。"Ｅｎｄｏｔｒａｃｈｅａｌ  Ｔｕｂｅ"という表記は、「気管内チューブ」の英語表記である。従来は、「気管内チューブ」という用語が用いられていたが、近年、「気管チューブ」という用語が用いられるようになってきた。
【００１７】
右の部分は、１６０センチメートル付近を示している。この程度の身長を持つ人は、小児であったり、成人であったりする。そこで図では示されていないが、器具サイズ、薬剤の量などを示す部分が書かれていない部分には、「成人と同じ」などの記述があってもよい。また、成人に対する救命救急の処置のフローチャートが、この部分に書かれていてもよい。これにより、身長を測定した結果、成人と推測される場合には、成人の救命救急処置を直ちに行なうことができるようになる。
【００１８】
（実施形態１）
図２は、本発明の実施形態１に係る情報付メジャーの概念図を例示する。情報付メジャーは、小児の身長に応じて救命救急処置に適した器具又は／及び薬剤の推定情報を示すためのものであり、目盛欄２０１と、推定欄２０２と、参考欄２０３と、を有する。
【００１９】
「目盛欄」２０１は、小児の身長を測定するための目盛を有する。小児の身長の範囲を厳密に定義するのは困難であるが、おおよそ３０センチメートルから、１５５センチメートルの範囲の身長が目盛欄２０１により測定できればよい。ただし、「１５５センチメートル」という値は、それよりも小さくてもよい。例えば、幼稚園児用の情報付メジャー、小学生低学年用の情報付メジャーなどを提供するときは、１５５センチ未満の身長が測定できるものであってもよい。なお、図２においては、目盛欄２０１は、情報付メジャーの片側にしか書かれていないが、両側に目盛欄２０１が書かれていてもよい。
【００２０】
「推定欄」２０２は、目盛欄２０１に隣接し、器具又は／及び薬剤の推定情報を記載した欄である。「器具又は／及び薬剤の推定情報」とは、目盛欄２０１で身長が測定される小児に対して使用するのに適すると考えられる救命救急の器具のサイズ又は／及び薬剤の量などを示す情報である。救命救急の器具のサイズは、身長と相関関係があることが経験上知られており、その相関関係に基づいて、目盛欄２０１に隣接して、推定欄２０２に、器具のサイズを記載する。また、薬剤の量は、体重に応じて決められるべきであるが、小児においては、身長と体重との間には相関関係があることが経験上知られているので、これらの関係を用いて、目盛欄２０１に隣接して薬剤の量を記載する。
【００２１】
図３は、目盛欄２０１と推定欄２０２の一例を示す。例えば、患者の身長が６０センチメートルであれば、ＥＴ  ＩＤ（気管チューブ内径）として、３．５ミリメートル、Ｌｉｐ−Ｔｉｐ（気管チューブをどこまで挿入するかの程度）は、１０．５センチメートル、喉頭鏡は、直１のサイズものを用い、サクションカテーテルは、８Ｆｒのサイズのものを用い、尿道カテーテルは、５から８Ｆｒのサイズのものを用い、胃管としては、５から８Ｆｒのサイズのものを用い、血圧カフとしては、新生児／乳児用のものを用い、アトロピンは０．１４ミリグラムを投与し、エピネフリンは１万倍に希釈したものを０．７ミリリットル投与し、リドカインは７ミリグラムを投与し、除細動を行なう場合には、１回目は、１４ジュール、２回目と３回目は２８ジュールで行なうことが示される。図３では、目盛欄の６０センチメートル、８０センチメートル隣接して、推定欄の記載があるが、例えば、７０センチメートルに隣接して、推定欄が記載されていない。もし、患者の身長を測定して、例えば、７０センチメートルであれば、その身長の前後の推定欄の記載、患者体格（やせ気味か、太り気味かなど）を勘案して器具、薬剤を決定する。
【００２２】
「参考欄」２０３は、目盛欄２０１の目盛が少なくとも３０センチメートル以下の部分では、推定欄２０２に代えて、救命救急処置に必要な参考情報を記載する欄である。「少なくとも３０センチメートル」としたのは、３０センチメートル以下の身長を持つのは通常は未熟児であり、未熟児は保育器の中で看護がされるので、救急患者として搬送されることがほとんど皆無だからである。勿論、「３０センチメートル」の代わりに、例えば、新生児の平均身長などを用いてもよい。「救命救急処置に必要な参考情報」とは、例えば、救命救急処置の手順であったり、推定欄２０２に書かれている用語（例えば、「ＥＴ  ＩＤ」、「１：１０，０００」などの意味）の解説や、身長と器具のサイズとの相関関係や身長と体重との相関関係、体重と薬剤の量との相関関係の根拠となる文献の表示などであったりしてもよい。
【００２３】
図４と図５は、参考情報欄に記載される救命救急処置の手順のフローチャートを例示する。なお、図５として、成人の二次救命処置が２０センチメートルの目盛に隣接して記載されているが、１５５センチメートル以上など、通常の成人の身長の範囲の目盛に隣接して、成人の二次救命処置の手順のフローチャートが記載されていてもよい。このようにすることにより、身長を測定した結果、身長が１５５センチメートル以上であることがわかると、直ちに、１５５センチメートルの目盛に隣接して記載されている成人の二次救命処置の手順のフローチャートを見て、救命救急処置を取ることができる。
【００２４】
図６は、目盛欄の目盛が１５５センチメートル付近の部分を示している。１５５センチメートル以上が成人の通常の身長であれば、１５５センチメートルより先の目盛に隣接する推定欄には、「以降、成人と同じ」旨の記載がされている。上の段落で述べたように、「以降、成人と同じ」旨の記載のかわりに、成人の二次救命処置の手順のフローチャートが書かれていたり、成人に使用する器具のサイズ、投与するべき薬剤の量などが記載されていてもよい。
【００２５】
（実施形態：主な効果）
本実施形態に係る情報付メジャーを用いることにより、身長の測定に基づいて、小児の救命救急処置に適した器具のサイズ、薬剤の種類、量などを知ることができる。また、救命救急処置に必要な参考情報が記載されているので、救命救急の教科書的な役割も果たす。したがって、本実施形態に係る情報付メジャーの存在が忘れ去られることがなく、小児救急患者が搬送されてきても直ちに本実施形態に係る情報付メジャーを用意することができる。
【００２６】
（実施形態２）
本発明の実施形態２に係る情報付メジャーは、実施形態１に係る情報付メジャーであって、推定欄２０２は、目盛で示される一定身長範囲ごとに推定情報が記載されているものである。「一定身長範囲ごとに」とは、例えば、５センチメートルあるいは１０センチメートルごとに区切って推定情報を記載することを意味する。また、等間隔に区切られることは必須ではなく、必要に応じて、それぞれ異なる間隔で区切られていてもよい。
【００２７】
図７は、本実施形態に係る情報付メジャーの概念図である。図７では、５８センチメートルから７２センチメートルの部分と、７２センチメートルから８６センチメートルの部分に、推定欄が区切られて推定情報が記載されている。
【００２８】
（実施形態２：主な効果）
本実施形態においては、一定身長範囲ごとに推定情報が記載されることにより、曖昧さが生じることなく、身長の測定結果から推定情報を読み取ることができる。
【００２９】
（実施形態３）
図８は、本発明の実施形態３に係る情報付メジャーの概念図を例示する。本実施形態に係る情報付メジャーは、実施形態１または２に記載の情報付メジャーであって、推定欄２０２は、身長依存推定欄８０１と、体重依存推定欄８０２と、を含む。
【００３０】
「身長依存推定欄」８０１は、身長に応じて適した器具又は／及び薬剤を推定する身長依存推定情報を示す。例えば、器具のサイズは身長と相関関係が高いので、器具のサイズを身長依存推定欄に記載する。
【００３１】
「体重依存推定欄」８０２は、体重に応じて適した器具又は／及び薬剤を推定する体重依存推定情報を示す。例えば、多くの薬剤は、体重に応じて投与するべきであることが知られているので、そのような薬剤の量を体重依存推定欄８０２に記載する。なお、小児の場合には、体重と身長とに相関関係があるので、結果として、身長に応じて薬剤の量などが記載されることになる。
【００３２】
図９は、身長依存推定欄と体重依存推定欄とを含む推定欄を持つ情報付メジャーの一例を示す。図９では、身長依存推定欄と体重依存推定欄とは、一定身長範囲ごとに記載がされている。ただし、身長依存推定欄と体重依存推定欄とにおける「一定身長範囲ごと」は異なっている。これは、身長依存推定欄に記載される内容は身長に直接依存するが、体重依存推定欄に記載される内容は、間接的に身長に依存するためである。また、体重依存推定欄には、主に薬剤の量や除細動に用いるべきエネルギー値など、処置を行なうときに調整が可能な量が記載されている。一方、身長依存推定欄には、主に器具のサイズが記載され、器具は工場などで製造されたものであり、サイズを処置を行なうときに変更するのは困難である。そのために、体重依存推定欄の中は、身長依存推定欄に比べて細かく区切ることができる。図９では、身長依存推定欄と体重依存推定欄との中は区切られていないが、必要に応じて、内部が区切られていてもよい。例えば、身長依存推定欄の中のＬｉｐ−Ｔｉｐは、他の身長依存推定欄に記載される内容よりも細かく区切られていてもよい。体重依存推定欄の記載も同様であり、投与量の少しの違いでも大きく反応が出る薬剤については、別に区切られていてもよい。
【００３３】
なお、米国心臓協会のガイドライン２０００では、年齢が８歳以上または体重が２５キログラム以上の患者に対して、自動式体外除細動器を用いてもよいことが勧告されているので、２５キログラム以上に対応する体重依存推定欄には、自動式体外除細動器の使用が許される旨の記載がされていてもよい。
【００３４】
また近年では、除細動のためには、単相性波形を用いるよりも二相性波形を用いる方が少ないエネルギーで済み、したがって、心臓への侵襲性が少ないことが知られてきており、本発明に係る情報付メジャーには、単相性波形を用いる場合の除細動のエネルギー値と二相性波形を用いる場合の除細動のエネルギー値を併記するなどしてもよい。今後得られるであろう新たな知見に基づいて、本発明に係る情報付メジャーに記載される情報は変更され、そのように変更がされても、本発明の技術的範囲に含まれるのは明らかである。
【００３５】
（実施形態３：主な効果）
本実施形態により、身長に依存する内容と体重に依存する内容とに分かれて推定欄が記載されるため、より的確な情報を提示することができる。
【００３６】
（実施形態４）
図１０は、本発明の実施形態４に係る情報付メジャーの概念図である。本実施形態に係る情報付メジャーは、実施形態３に係る情報付メジャーの推定欄に、目盛で示される一定身長範囲ごとに体重依存推定欄で利用する体重を推定するための体重推定情報が記載されている。
【００３７】
前述したように小児においては、身長と体重との間には、成人よりも強い相関関係が成立することが知られているので、その相関関係に基づいて、身長に対する体重を記載するようにしたものである。例えば、６０センチメートルの目盛に隣接して、６キログラムを記載し、６５センチメートルの目盛に隣接して、７キログラムを記載し、７０センチメートルの目盛に隣接して、９キログラムを記載するなどである。体重依存推定欄に体重推定情報を記載する仕方は任意であるが、例えば、図１０に例示されるように、テープの端に記載してもよい。なお、身長に対する体重推定情報を求めるには、例えば、文部科学省が発表する学校保健統計調査結果（平成１４年度のものが、http://www.mext.go.jp/b_menu/houdou/15/06/03060901.htmに発表されている）に基づいて、同じ年齢に対する平均身長と平均体重とから求めるようにしてもよい。例えば、上記のＵＲＬで示されるウェブページには、８歳児の平均身長は、男が１２８．２センチメートル、女が１２７．５センチメートルであり、８歳児の平均体重は、男が２７．２キログラム、女が２６．９キログラムであるので、例えば、１２８センチメートルに対する体重推定情報を２７キログラムとする。なお、男女差があるので、男児に対する体重推定情報と女児に対する体重推定情報とを分けて記載してもよい。
【００３８】
図１１は、体重推定情報の別の記載の仕方を例示しており、それぞれの体重依存推定欄に記載される体重依存推定情報の上部に体重を示している。
【００３９】
（実施形態４：主な効果）
本実施形態によれば、身長に対して推定される体重が記されているので、体重依存推定情報が正しいかどうかを判断することができる。また、患者の体重が判明している場合には、その体重に基づいて投与する薬剤の量または／および用いるべき器具のサイズを知ることができる。
【００４０】
（実施形態５）
本発明の実施形態５として、体重推定情報に体重の上限と下限とを記載した情報付メジャーについて説明する。すなわち、本発明の実施形態５に係る情報付メジャーは、実施形態４に係る情報付メジャーにおいて、体重推定情報は、一定身長範囲における標準体重の値と、その一定身長範囲における体重分布における所定の下限と上限の体重の値を示すようにしたものである。
【００４１】
図１２は、一定身長範囲における身長に対する体重の分布を示すグラフである。「一定身長範囲」とは、例えば、特定の身長を中心にして前後２．５センチメートルの範囲である。標準体重は、この一定身長範囲の中で最も分布数が多い体重であったり、体重分布の中心となる体重であったりし、その定義には種々のものがある。上限と下限の体重値は、例えば、体重分布における上２．５パーセント、下２．５パーセントの人数における体重である。
【００４２】
図１３は、本実施形態に係る情報付メジャーの体重依存推定欄を例示する。各体重依存推定欄には、体重推定情報として３つの値が記されているが、中央に記されている値が標準体重であり、左側に記されている値が下限の体重であり、右側に記されている値が上限の体重である。
【００４３】
本実施形態に係る情報付メジャーの体重依存推定欄の使用方法は以下の通りとなる。まず、患者の身長を測定し、その身長値に対応する（隣接する）体重依存推定欄の記載を読み取る。同時に、患者の体格を見て、標準的か、やせ気味か、あるいは太り気味であるかどうかを判断する。もし、標準的な体格であれば、読み取った体重依存推定欄に記載されている器具、薬剤量を用いる。もし、やせ気味であれば、体重推定情報の左側の体重を読み取り、その体重が標準体重として記されている体重依存推定欄を求め、そこに記載されている器具、薬剤量を用いる。もし、太り気味であれば、体重推定情報の右側の体重を読み取り、その体重が標準体重として記されている体重依存推定欄を求め、そこに記載されている器具、薬剤量を用いる。
【００４４】
（実施形態５：主な効果）
本実施形態により、体重をより正確に推定することができ、的確な器具、薬剤量を使用することができるようになる。
【００４５】
（実施形態６）
本発明の実施形態６に係る情報付メジャーは、実施形態２から５のいずれかの実施形態で説明された情報付メジャーにおいて、一定身長範囲ごとに推定情報が記載されている推定欄は、少なくとも隣接している身長範囲の推定欄が異なる色彩で記載されているようにしたものである。
【００４６】
（実施形態６：主な効果）
このように色彩を異なるようにすることにより、一定身長範囲の区切りを見やすくすることができる。また、例えば、本実施形態に係る情報付メジャーの推定欄の色を全て異なる色にしておき、また病院以外に、本実施形態に係る情報付メジャーを家庭や救急車にも配備しておくことにより、救急患者の身長を測定し、その測定値に隣接する推定欄の色を搬送先の病院に報告することにより、病院へ、用意するべき器具、薬剤量を短時間でかつ的確に伝達することができる。
【００４７】
（実施形態７）
本発明の実施形態７に係る情報付メジャーは、実施形態１から６のいずれか一に記載の情報付メジャーにおいて、推定欄と反対側の面に、成人用の救命救急情報を記載した成人救命救急情報欄を有するようにしたものである。
【００４８】
図１４は、本実施形態に係る情報付メジャーを例示する。推定欄が記載されている面の反対の面に、成人の救命救急方法についての解説、意識の有無の確認、呼吸の有無の確認、脈拍の有無の確認、人工呼吸の手順、心臓マッサージの手順など、が書かれている。この解説が成人救命救急情報欄に記載された成人用の救命救急情報の一例である。他には、図５に例示した成人の二次救命救急処置が記載されていてもよい。なお、図１４には、救命救急情報は文字により記載されているが、イラストなどを用いて記載されていてもよい。
【００４９】
（実施形態７：主な効果）
本実施形態により、情報付メジャーは、救命救急の講習会などにおける教科書としても活用ができ、情報付メジャーの存在が忘れ去られることがなくなる。
【００５０】
（実施形態８）
本発明の実施形態８に係る情報付メジャーは、実施形態１から７のいずれか一に係る情報付メジャーにおいて、参考欄には、身長から体重を推定するための参考文献を示す参考文献情報欄を有するようにしたものである。すなわち、参考文献情報欄には、身長と体重の相関関係を示し、情報付メジャーの作成に使用された文献などが記載される。
【００５１】
参考文献情報欄は、情報付メジャーの任意の位置に記載することができる。一例をあげれば、参考欄の内部であって身長を測定する基準位置付近、参考欄の推定欄側の位置、参考欄の記載が無い部分（大きい身長の目盛に隣接する部分、あるいは裏面）などがある。
【００５２】
（実施形態８：主な効果）
本実施形態によれば、身長と体重との相関関係の根拠が示されるので、食生活の変化などによって小児の体格の向上に変化があった場合でも、使用が可能な情報付メジャーであるかどうかを判断することができ、交換などの目安となる。
【産業上の利用可能性】
【００５３】
本発明に係る情報付メジャーは、救急患者の身長を測定することにより、必要な器具のサイズまたは／および薬剤の推定ができるようになり、医療ミスの低下などをもたらすことができ、また、その他の救命救急に必要な情報が記載されているので、情報付メジャーの存在が忘れられることも低減するので、有用な情報付メジャーである。
【図面の簡単な説明】
【００５４】
【図１】本発明に係る情報付メジャーの一例図
【図２】本発明の実施形態１に係る情報付メジャーの概念図
【図３】目盛欄２０１と推定欄２０２の一例図
【図４】参考情報欄に記載される救命救急処置の手順のフローチャートの一例図
【図５】参考情報欄に記載される救命救急処置の手順のフローチャートの一例図
【図６】目盛欄の目盛が１５５センチメートル付近の部分の一例図
【図７】本発明の実施形態２に係る情報付メジャーの概念図
【図８】本発明の実施形態３に係る情報付メジャーの概念図
【図９】身長依存推定欄と体重依存推定欄とを含む推定欄を持つ情報付メジャーの一例図
【図１０】本発明の実施形態４に係る情報付メジャーの概念図
【図１１】体重推定情報の別の記載の仕方の一例図
【図１２】一定身長範囲における身長に対する体重の分布を示すグラフの一例図
【図１３】本発明の実施形態５に係る情報付メジャーの体重依存推定欄の一例図
【図１４】本発明の実施形態７に係る情報付メジャーの一例図
【図１】
0004656844.tif 000002
【図２】
0004656844.tif 000003
【図３】
0004656844.tif 000004
【図４】
0004656844.tif 000005
【図５】
0004656844.tif 000006
【図６】
0004656844.tif 000007
【図７】
0004656844.tif 000008
【図８】
0004656844.tif 000009
【図９】
0004656844.tif 000010
【図１０】
0004656844.tif 000011
【図１１】
0004656844.tif 000012
【図１２】
0004656844.tif 000013
【図１３】
0004656844.tif 000014
【図１４】
0004656844.tif 000015